(57)【要約】【課題】  応力による取り付けの解除を、付属部材等を用いることなく防止し、垂直方向での蓋部材とベース部材との位置ずれを有効に防止する配管カバーを提供する。【解決手段】  半割筒状に２分割されたベース部材１１と蓋部材１２とからなり、ベース部材１１と蓋部材１２とが着脱可能に噛み合って結合する取り付け部１３を有してなる配管カバーにおいて、取り付け部１３の蓋部材１２側に、両端が内側に起曲したツメ部１４を備え、ベース部材１１側に、ベース部材１１の両部で内側に傾斜しツメ部１４が当接し得る傾斜壁部１５と、傾斜壁部１５端から外側に向かって延設され、ベース部材１１と蓋部材１２とが噛み合った際に蓋部材１２の起曲した部分１６近傍を支点として蓋部材１２が回動可能となるよう、ツメ部１４の先端を摺動させ得る面を構成するフック部１７と、フック部１７から起曲し蓋部材１２の回動の停止を規定する鉤部１８とを備える。【選択図】  図１
2005069340.tif 000002
【特許請求の範囲】
【請求項１】
配管を囲繞するために半割筒状に２分割されたベース部材と蓋部材とからなり、これらベース部材と蓋部材とが着脱可能に噛み合って結合する取り付け部を有してなる配管カバーにおいて、
前記取り付け部の前記蓋部材側には、両端部が内側に起曲したツメ部を備え、かつ前記ベース部材側には、ベース部材の両端部において内側に傾斜して前記ツメ部が当接し得る傾斜壁部と、該傾斜壁部の端部から外側に向かって延設され、前記ベース部材と蓋部材とが噛み合った際に蓋部材の起曲した部分近傍を支点として蓋部材が回動可能となるように、ツメ部の先端を摺動させ得る面を構成するフック部と、該フック部から起曲して前記蓋部材の回動の停止を規定する鉤部とを備えてなる配管カバー。
【請求項２】
ベース部材と蓋部材とが噛み合って結合した際の蓋部材の起曲した部分近傍を支点とする蓋部材の回動が１０〜３０°となるようにベース部材の傾斜壁部と鉤部との間に隙間を有してなる請求項１に記載の配管カバー。
【請求項３】
ベース部材と蓋部材とが噛み合って結合した際のツメ部と鉤部との間に、ツメ部厚の０．６〜２．０倍程度の隙間を有しなる請求項１に記載の配管カバー。
【請求項４】
蓋部材のツメ部の先端が丸みを有するとともに、前記ベース部材のフック部と傾斜壁部との内側のコーナー部に丸みを有し、前記ツメ部の先端の丸みがフック部と傾斜壁部との内側のコーナー部の丸みよりも小さく形成されてなる請求項１〜３のいずれか１つに記載の配管カバー。
【請求項５】
ベース部材の傾斜壁部の延設方向とフック部の延設方向とが９０〜１００°の角度で交差する請求項１〜４のいずれか１つに記載の配管カバー。
【請求項６】
鉤部の先端が、内側に回り込むように起曲されてなる請求項１〜５のいずれか１つに記載の配管カバー。
【請求項７】
鉤部と蓋部材との間の隙間が、鉤部厚の０．５〜１倍程度である請求項１〜６のいずれか１つに記載の配管カバー。
【発明の詳細な説明】
【技術分野】
【０００１】
本発明は、配管カバーに関し、より詳細には、エアコンの室内ユニットから室外ユニットにわたって接続される配管等を収容し、保護し得る配管カバーに関する。
【背景技術】
【０００２】
従来から、エアコン等の配管を覆うための配管カバーとして、種々の形状、機能を有するものが提案されている。
【０００３】
例えば、本発明の配管カバーに相当する長尺状の配管カバーにおいて、内側から外側に向かう応力がかかっても、組み立て状態が解除されない長尺体カバーが提案されている（例えば、特許文献１）。この長尺体カバー３０は、図３に示すように、蓋部材３１の側部にレの字状に屈曲した係合部３２を有しており、カバー本体３３の側部は、横断面において、内側に窪みんだ窪み部３４と、窪み部３４の終端部に、内側に傾斜して、蓋部材３１の係合部３２に接当するガイド部３５とからなるＳ字状の被係合部３６を有して構成される。
【０００４】
しかし、この長尺体カバー３０では、被係合部３６のガイド部３５が内側に突出しているために、配管３７等を収納する際に、その先端で配管３７や配管３７を被覆する断熱材（図示せず）等を傷つけることがある。
【０００５】
一方、図４に示すように、蓋部材４５が取り付けられるカバー本体４１の側部の先端を丸めて係止用孔４２を形成するなどして、配管や断熱材等の損傷を防止することができる形状の蓋部材４５側の係合部４３及びカバー本体４１側の被係合部４４を有する配管収容ダクト４０（本発明の配管カバーに相当する）が提案されている（例えば、特許文献２等）。
【０００６】
しかし、このような配管収容ダクト４０の係合部４３及び被係合部４４では、その係合状態を比較的強固に維持するためにネジ止め等を必要とする。そして、このようなネジ止めをしない場合には、何らかの次状により内側から力が作用するなどによって容易に組み立て状態が解除される。また、垂直方向への配管収容ダクト４０の取り付けにより、蓋部材４５がカバー本体４１から滑り落ちて、組み立て状態がずれるなどの新たな問題が生じる。
【特許文献１】特開２００２−２２８０８４号公報
【特許文献２】特開平９−２５０６８２号公報
【発明の開示】
【発明が解決しようとする課題】
【０００７】
本発明は、上記課題に鑑みなされたものであり、配管等を内部に収納する際に配管や断熱材等の損傷を回避することができるとともに、内側からの応力によって組み立てが解除されるのを、付属部材等の取り付けを行わずに防止し、さらに、垂直方向での蓋部材とベース部材との位置ずれを有効に防止することができる配管カバーを提供することを目的とする。
【課題を解決するための手段】
【０００８】
本発明は、配管を囲繞するために半割筒状に２分割されたベース部材と蓋部材とからなり、これらベース部材と蓋部材とが着脱可能に噛み合って結合する取り付け部を有してなる配管カバーにおいて、前記取り付け部の前記蓋部材側には、両端部が内側に起曲したツメ部を備え、かつ前記ベース部材側には、ベース部材の両端部において内側に傾斜して前記ツメ部が当接し得る傾斜壁部と、該傾斜壁部の端部から外側に向かって延設され、前記ベース部材と蓋部材とが噛み合った際に蓋部材の起曲した部分近傍を支点として蓋部材が回動可能となるように、ツメ部の先端を摺動させ得る面を構成するフック部と、該フック部から起曲して前記蓋部材の回動の停止を規定する鉤部とを備えてなることを特徴とする。
【０００９】
また、上記配管カバーにおいて、ベース部材と蓋部材とが噛み合って結合した際の蓋部材の起曲した部分近傍を支点とする蓋部材の回動が１０〜３０°となるようにベース部材の傾斜壁部と鉤部との間に隙間を有してなることを特徴とする。
【００１０】
さらに、上記配管カバーにおいて、ベース部材と蓋部材とが噛み合って結合した際のツメ部と鉤部との間に、ツメ部厚の０．６〜１．２倍程度の隙間を有しなることを特徴とする。
【００１１】
また、上記配管カバーにおいて、蓋部材のツメ部の先端が丸みを有するとともに、前記ベース部材のフック部と傾斜壁部との内側のコーナー部の丸みを有してなり、前記ツメ部の先端の丸みがフック部と傾斜壁部との内側のコーナー部の丸みよりも小さいことを特徴とする。
【００１２】
さらに、上記配管カバーにおいて、ベース部材の傾斜壁部の延設方向とフック部の延設方向とが９０〜１００°の角度で交差することを特徴とする。
【００１３】
また、上記配管カバーにおいて、鉤部の先端が、内側に回り込むように起曲されてなることを特徴とする。
【００１４】
さらに、上記配管カバーにおいて、鉤部と蓋部材との間の隙間が、鉤部厚の０．５〜１倍程度であることを特徴とする。
【発明の効果】
【００１５】
本発明によれば、配管等を内部に収納する際に配管や断熱材等の損傷を回避することができる。また、何らかの次状により内側から力が作用するなどによって組み立てが解除されるのを、付属部材等の取り付けを行わずに防止し、さらに、垂直方向に配管カバーを取り付けた場合において、蓋部材とベース部材との滑り落ち及び位置ずれを有効に防止することができる。さらに、蓋部材とベース部材とを取り付けた後においても、蓋部材の一方の側部を支点として他方の側部を回動して、配管カバーを開けることができるため、取り付け作業及び取り付け後の作業を容易に行うことができる。また、内側からの力によって配管カバーが変形した場合においても、蓋部材とベース部材との間のＶ字又はＵ字溝等の発生を極力抑えることができる。したがって、美観を著しく損なったり、これらの溝に起因する両者の取り付けの解除を防止することができる。
【００１６】
また、ベース部材と蓋部材とが噛み合って結合した際の蓋部材の起曲した部分近傍を支点とする蓋部材の回動が１０〜３０°となるようにベース部材の傾斜壁部と鉤部との間に隙間を有してなる場合、さらには、ベース部材と蓋部材とが噛み合って結合した際のツメ部と鉤部との間に、ツメ部厚の０．６〜２．０倍程度の隙間を有しなる場合には、蓋部材の回動を確実に行うことができ、作業性をより向上させることができる。
【００１７】
さらに、蓋部材のツメ部の先端が丸みを有するとともに、前記ベース部材のフック部と傾斜壁部との内側のコーナー部の丸みを有し、前記ツメ部の先端の丸みがフック部と傾斜壁部との内側のコーナー部の丸みよりも小さい場合には、配管カバーのベース部材と蓋部材とを取り付けたときの締め付け力、力が作用して収納されている配管がつっぱるなどの外力により配管カバーが変形したときにおいても、ツメ部の先端が、フック部と傾斜壁部との間の丸みを有した位置に配置することができ、ベース部材と蓋部材との取り付け（噛み合った状態）の解除を防止することができる。
【００１８】
また、ベース部材の傾斜壁部の延設方向とフック部の延設方向とが９０〜１００°の角度で交差する場合には、ベース部材と蓋部材とを噛み合わせたり、蓋部材を回動させる際に、ツメ部の先端がフック部の途中でつかえることなく、ベース部材と蓋部材との取り付けを良好に保持することができる。
【００１９】
さらに、鉤部の先端が、内側に回り込むように起曲されている場合には、蓋部材の回動の停止を規定することができ、蓋部材が回動した場合でも、ツメ部が取り付け部において解除されないように、ツメ部の先端を確実に引っ掛けることができる。
【００２０】
また、鉤部と蓋部材との間の隙間が、鉤部厚の０．５〜１倍程度である場合には、配管カバーに内向き又は外向きのゆがみやひねり等の応力が加えられた際においても、配管カバー自体の変形によりその応力を有効に吸収することができ、ベース部材と蓋部材との噛み合わせによる結合の解除を有効に防止することができる。
【発明を実施するための最良の形態】
【００２１】
本発明の配管カバーの実施例を図面に基づいて詳細に説明する。
【実施例】
【００２２】
この実施例の配管カバー１０は、図１（ａ）〜図１（ｃ）に示すように、配管（図示せず）の周囲を取り囲むために、半割筒状に２分割されたベース部材１１と蓋部材１２とからなり、これらベース部材１１と蓋部材１２とが着脱可能に噛み合って結合する取り付け部１３を有して構成される。配管カバー１０自体の形状は、長手方向に対して垂直に交差する断面において、例えば、略円形である。また、配管カバー１０の壁面への取り付け面（底面）には、ネジ打ち部１９等が形成されている。
【００２３】
取り付け部１３は、蓋部材１２側に、両端部が内側に起曲したツメ部１４を備える。ここでのツメ部１４は、配管カバー１０自体の外表面において、起曲した部分１６近傍が内側に窪むことなく、つまり、長手方向に極端なＶ字又はＵ字の溝が生じない形状で起曲している。さらに、ベース部材１１と蓋部材１２とが噛み合って結合した際に、これら蓋部材１２からベース部材１１にかけてそれらの側面が略面一となるように起曲している。つまり、略鋭角を構成するように起曲している。なお、略鋭角を構成するように起曲している場合でも、その起曲した部分の外側及び内側は、例えば、０．１〜２ｍｍ程度の半径を有する円の円弧状の丸みを有していている。
【００２４】
ツメ部１４は、そのつけ根、つまり起曲した部分１６から先端部に向かうにつれて、徐々に又は段階的に薄膜状に形成されている。つまり、つけ根部分で０．５〜２ｍｍ程度、好ましくは１．５ｍｍ程度の肉厚を有しており、先端部は５〜３０％程度、つけ根部分よりも薄膜である。
【００２５】
なお、ツメ部１４の先端は丸みを有している。ツメ部１４の長さ、つまり、起曲した部分１６から先端までの距離は、長手方向に直交する断面において２３０ｍｍ程度の内周を有する配管カバーの場合には、５ｍｍ程度である。
【００２６】
また、取り付け部１３のベース部材１１側は、その両端部において、配管カバー１０の内側に傾斜して、ツメ部１４が当接し得る傾斜壁部１５を有している。傾斜壁部１５の傾斜角度は、ツメ部１４の傾斜角度と略一致しており、傾斜壁部１５の長さは、ツメ部１４の長さと略一致している。
【００２７】
傾斜壁部１５は、その端部からフック部１７が延設されている。フック部１７は、傾斜壁部１５の端部から配管カバー１０の外側に向かって傾斜して延設されている。このような構成により、ベース部材１１と蓋部材１２とを噛合させたり、蓋部材１２を回動させる際に、ツメ部１４の先端がフック部１７の途中でつかえることなく、ベース部材１１と蓋部材１２との取り付けを良好に保持することができる。また、フック部１７は、ベース部材１１と蓋部材１２とが噛み合った際に蓋部材１２の起曲した部分１６近傍を支点として蓋部材１２が回動可能となるように、ツメ部１４の先端を摺動させ得る面を構成するように形成されている。ここで、ベース部材１１と蓋部材１２とが噛み合った際に蓋部材１２の起曲した部分１６近傍を支点として蓋部材１２が回動するとは、図１（ａ）において点１６ａを支点として、矢印Ａの方向に蓋部材１２の矢印Ａ側の端部をもち上げた場合に、その端部が略円弧状（場合によっては略直線状）の軌跡を描きながら動くことを意味する。
【００２８】
つまり、フック部１７は、配管カバー１０の長手方向に直交する断面において、ツメ部１４の起曲した部分１６から先端までの距離を半径とする円の円弧に対応するような曲面を有している。この曲面の幅、つまり、配管カバー１０の長手方向に直交する断面における円弧の長さは、例えば、ツメ部１４の起曲した部分１６から先端までの距離を半径とした円の１０〜３０°程度（図１（ｂ）の矢印Ｂ参照）の円弧に対応する長さよりもやや長い。なお、このツメ部１４の先端を摺動させ得る面は曲面のみならず、その摺動距離が短いために、その表面が曲がっていないまっすぐな平面、略平面であってもよい。
【００２９】
また、ベース部材１１のフック部１７から傾斜壁部１５にかけては、丸みを有している。この場合の丸みの程度は、ツメ部１４の先端が丸みを有している場合には、その丸みよりも大きいことが好ましい。具体的には、０．２〜４ｍｍ程度の半径の円の円弧状で丸みを有していることが適当である。このように、ツメ部１４の先端の丸みよりも大きい場合には、ベース部材１１と蓋部材１２とを取り付けたときの締め付け力、配管のツッパリなどの外力により配管カバー１０が変形した場合においても、ツメ部１４の先端が、フック部１７と傾斜壁部１５との間の丸みを有した位置に配置することができ、ベース部材１１と蓋部材１２との取り付け（噛み合った状態）の解除を防止することができる。
【００３０】
フック部１７には、その端部から鉤部１８が延設されている。鉤部１８は、フック部１７から起曲して、蓋部材１２の回動の停止を規定するように形成されている。また別の観点から、鉤部１８は、蓋部材１２が回動した場合でも、ツメ部１４が取り付け部１３において解除されないように、ツメ部１４の先端を引っ掛けるように形成されている。さらに別の観点から、鉤部１８は、その起曲の外側の部分１８ａにおいて、蓋部材１２のツメ部１４がベース部材１１に取り付けられる際に、ツメ部１４に突き当たり、さらにツメ部１４を所定の位置にガイドするように形成されている。鉤部１８がこれらの機能の全てを実現するためには、鉤部１８の先端は、内側に回り込むように起曲されて形成されている。
【００３１】
鉤部１８は、ベース部材１１と蓋部材１２とが噛み合って結合した場合であって、蓋部材１２の起曲した部分１６近傍を支点とした場合において、ベース部材１１の傾斜壁部１７との間に隙間（図１（ｂ）のＣ部参照）を有している。この隙間は、ツメ部１４の肉厚、鉤部１８の大きさ等によって適宜調整することができる。例えば、蓋部材１２の回動、つまり、図１（ｂ）の矢印Ｂで示した角度が約２０°程度である。これにより、蓋部材１２の回動のためのスペースを確保することができる。
【００３２】
また、鉤部１８は、蓋部材１２との間の隙間（図１（ｂ）のＤ部）が、鉤部１８の肉厚の０．５〜１倍程度となるように形成されていることが好ましい。これにより、配管カバー１０に内向き又は外向きのゆがみやひねり等の応力が加えられた際においても、配管カバー１０自体の変形によりその応力を吸収することができ、ベース部材１１と蓋部材１２との噛み合わせによる結合の解除を有効に防止することができる。
【００３３】
配管カバー１０の壁面への取り付けのために、ベース部材１１に形成されているネジ打ち部１９は、図１（ｃ）に示すように、ネジが取り付けられる個所が配管カバー１０の内側に窪んで、ネジ打ち部１９自体が、壁面に接触しないように形成されている。ネジ打ち部１９は、ネジ先端及びネジ軸を貫通させる部分１９ａと、この部分１９ａから所定間隔離れて、ネジ頭を受ける部分１９ｂとが、二重に形成されている。ネジ打ち部１９がこのように、二重に形成されていることにより、配管カバー１０を壁面にネジによって取り付ける場合に、ネジを締めるにしたがって、ネジ先端及びネジ軸を貫通させる部分１９ａがネジ頭を受ける部分１９ｂに、つまり内側に、引き寄せられることとなる。また、その反作用によって、ネジ打ち部以外のベース部材１１の壁面への接触面が壁面を押しつけることとなる一方、さらにその反作用によって、ベース部材１１の側面が外側に広がろうとする応力を生じさせる。これにより、ベース部材１１に蓋部材１２を噛み合わせて取り付けた場合に、蓋部材１２のベース部材１１への噛み合わせが強固になり、例えば、配管カバー１０を垂直方向に取り付けた場合においても、蓋部材１２の滑り落ち、つまり縦ずれし、上側の継手部分で配管等の内容物が露出することを防止することができる。
【００３４】
ネジ先端及びネジ軸を貫通させる部分１９ａは、配管カバー１０を壁面にネジ止めする際に、比較的容易にネジを挿入することにより、破れて孔が開くような薄膜状で、長手方向にわたって、適当な間隔で形成されている。
ネジ頭を受ける部分１９ｂは、ネジ軸の直径よりも小さな幅で、スリット状に長手方向にわたって連続して形成されている。これにより、ネジ打ちの際に、ネジ頭を受ける部分１９ｂにネジ先端が噛み込み、ネジの倒れを防止することができ、ネジ込み作業を容易にすることができる。
【００３５】
なお、配管カバー１０は、長手方向に対して垂直に交差する断面において、略円形以外に、略楕円形、多角形、矩形、略矩形等のどのような形状であってもよい。また、その側面、底面、上面等の一部に縞や溝状の装飾が施されていてもよい。さらに、ネジ打ち部１９の形状とは異なる、配管カバー１０を壁面等に取り付けるためのネジ打ち孔が形成されていてもよい。
【００３６】
ベース部材１１と蓋部材１２とは、通常、配管カバーに使用されるような材料、例えば、肉厚に応じて、やや硬質の材料又は弾力的に変形可能なやや軟質の材料、具体的には、樹脂、ゴム、場合によっては板金等で形成することができる。また、肉厚は特に限定されるものではないが、例えば、その大部分が０．５〜５ｍｍ程度であることが適当であり、部分的にはこれよりも薄膜状又は厚膜状であってもよい。
【００３７】
取り付け部１３における蓋部材１２の両端部におけるツメ部１４を形成するための起曲は、例えば、８５〜６０°程度の略鋭角を構成する程度とすることができる。
【００３８】
また、ツメ部１４先端の丸みの程度はツメ部先端部の肉厚にもよるが、０．１〜２ｍｍ程度の半径を有する円の円弧状で丸みを有していることが適当である。ツメ部１４の長さは、配管カバーのサイズ、ツメ部１４又は蓋部材１２等の肉厚、起曲角度等によって適宜調整することができる。具体的には、長手方向に直交する断面において１００〜１０００ｍｍ程度の内周を有する配管カバーの場合には、２〜１００ｍｍ程度が適当である。
【００３９】
取り付け部１３のベース部材１１側では、ツメ部１４の形状等に対応して、ツメ部１４の全てがこの傾斜壁部１５に当接していなくてもよく、その一部のみが当接していればよい。
【００４０】
フック部１７は、傾斜壁部１５の端部から配管カバー１０の外側に向かって傾斜して延設されているが、その場合、傾斜壁部１５の延設方向とフック部１７の延設方向とが９０〜１００°の角度で交差するように延設されていることが適当である。このような構成により、ベース部材１１と蓋部材１２との取り付けをより良好に保持することができる。
【００４１】
鉤部１８が、ベース部材１１の傾斜壁部１７との間に有している隙間（図１（ｂ）のＣ部参照）は、ツメ部１４の肉厚、鉤部１８の大きさ等によって適宜調整することができる。例えば、蓋部材１２の回動、つまり、図１（ｂ）の矢印Ｂで示した角度が約１０〜３０°となる程度であることが適当である。また、別の観点から、図１（ｂ）のＣ部で表される長さが、ツメ部１４の肉厚の０．６〜２．０倍程度、好ましくは０．６〜１．２倍程度であってもよい。これにより、蓋部材１２の回動をより確実にし、取り付けの作業性が向上する。
【００４２】
ネジ先端及びネジ軸を貫通させる部分１９ａは、所定の間隔で孔が形成されていてもよい。また、長手方向にわたって連続した薄膜として形成されていてもよい。ネジ頭を受ける部分１９ｂは、ネジ軸の直径よりも小さな直径を有する孔が、所定の間隔で形成されていてもよいし、配管カバー１０を壁面にネジ止めする際に比較的容易にネジを挿入することにより、破れて孔が開くような薄膜状で形成されていてもよい。これにより、ネジ打ちの際に、ネジ頭を受ける部分１９ｂにネジ先端が噛み込み、ネジの倒れを防止することができ、ネジ込み作業を容易にすることができる。
(実施例の変形例)
【００４３】
本発明の配管カバーは、例えば、図２に示すように、実質的に図１に示す配管カバー１０と同様のベース部材２１、蓋部材２２及び取り付け部２３を備えた配管カバー２０において、長手方向に直交する方向における幅が広くてもよく、ネジ打ち部が幅方向に複数個、例えば、３箇所設けられていてもよい。この場合には、ベース部材２１の壁面取り付け面の両側が上述したのと同様のネジ打ち部２９を有し、真中においてのみ配管カバー２０の内側に窪んで、壁面に接触しないようなネジ打ち部２９ｃが形成されていることが好ましい。これにより、各ネジ打ち部２９、２９ｃにネジ打ちした場合に、上述のような部分的な応力の発生により、ベース部材２１の側面で、外側に広がろうとする応力がより促進され、蓋部材２２の滑り落ち、つまり縦ずれを防止することができる。
【産業上の利用可能性】
【００４４】
本発明の配管カバーは、エアコンの配管のみならず、水道管、給湯管、ガス管等の種々の配管、さらには電線等の化粧カバーとして、幅広い分野で利用することができる。
【図面の簡単な説明】
【００４５】
【図１】本発明の配管カバーの実施例を示す断面図及び斜視図である。
【図２】本発明の配管カバーの変形例を示す断面図である。
【図３】従来の長尺体カバーを示す断面図である。
【図４】従来の配管収容ダクトを示す断面図である。
【符号の説明】
【００４６】
１０、２０  配管カバー
１１、２１  ベース部材
１２、２２  蓋部材
１３、２３  取り付け部
１４  ツメ部
１５  傾斜壁部
１６  起曲した部分
１６ａ  点
１７  フック部
１８  鉤部
１８ａ  起曲の外側の部分
１９、２９  ネジ打ち部
１９ａ、２９ａ  ネジ先端及びネジ軸を貫通させる部分
１９ｂ、２９ｂ  ネジ頭を受ける部分
【図１】
2005069340.tif 000003
【図２】
2005069340.tif 000004
【図３】
2005069340.tif 000005
【図４】
2005069340.tif 000006